(57)【要約】本発明は、下部にセラミック円形板が取り付けられたターンテーブルと、前記ターンテーブルの上部に配設される上部プレートおよび中間プレートを備えるが、前記上部プレートには数百ないし数千本に至る圧力粉砕ロッドが固定されており、前記下部プレートは偏心円運動をすることを特徴とする極超微粒粉砕機を提供する。
2005535440.tif 000002
【特許請求の範囲】
【請求項１】
下部にセラミック円形板が取り付けられたターンテーブルと、前記ターンテーブルの上部に配設される上部プレートおよび中間プレートを備え、
前記上部プレートには数百ないし数千本に至る圧力粉砕ロッドが固定されており、前記中間プレートは偏心円運動をすることを特徴とする極超微粒粉砕機。
【請求項２】
下部ターンテーブルに取り付けられる円形板と圧力粉砕ロッドの先端部に組み付けられるボールは、粉砕対象物の硬度によって素材をセラミックまたはダイアモンド被覆材などに取り替えて実際に粉砕を行うことを特徴とする極超微粒粉砕機。
【請求項３】
圧力粉砕ロッドは、粉砕対象物の硬度によって前記圧力粉砕ロッドに加えられる圧力を調節するためのスプリングを備えることを特徴とする極超微粒粉砕機。
【発明の詳細な説明】
【技術分野】
【０００１】
本発明は、炭酸カルシウム、ケイ土、アルミナ、緑茶の葉、硫黄などの各種の非金属鉱物および鉱物を乾式方式により０．１〜１μｍの極超微粒子に粉砕することのできる製粉機に関する。
【背景技術】
【０００２】
今まで知られている微粉砕機としては、ボールミル、振動ミル、ローラミルなどがあげられる。また、ジェットミルの場合には略５μｍまで微粉砕できるとはいえ、今まで乾式方式により０．１〜１μｍまで極超微粉砕が可能な粉砕機は未だ開発されていないのが現状である。このため、今までは湿式粉砕方式によってのみかかる粒子が得られていたが、湿式粉砕方式の場合、廃水の発生、加工コストの上昇、および工程の煩雑さが問題として挙げられている。
【０００３】
この理由から、特別な場合にはお金をかけて湿式方式により得られた極超微粒粉体を使わざるを得ないものの、通常の粉体製造会社は、湿式方式により得られる極超微粒粉体の方が全ての面で優れていることを知っていながらも、それがあまりにも高価なためにとうてい思いもよらないのが実情である。
【発明の開示】
【発明が解決しようとする課題】
【０００４】
そこで、本発明の主たる目的は、炭酸カルシウム、ケイ土、アルミナ、緑茶の葉、硫黄などの各種の非金属鉱物および鉱物を乾式方式により０．１〜１μｍの極超微粒子に粉砕することのできる粉砕機を提供することにある。
【課題を解決するための手段】
【０００５】
前記目的を達成するために、本発明は、下部にセラミック円形板が取り付けられたターンテーブルと、前記ターンテーブルの上部に配設される上部プレートおよび中間プレートを備え、前記上部プレートには数百〜数千本に至る圧力粉砕ロッドが固定されており、前記下部プレートは偏心円運動をすることを特徴とする極超微粒粉砕機を提供する。
【０００６】
より具体的に、本発明は、多数の圧力粉砕ロッド（例えば、数百から数千本に至る圧力粉砕ロッド）の運動メカニズムに基づくものである。
【０００７】
つまり、前記数百から数千本に至る圧力粉砕ロッドは、その連結点が上部プレートに固定されると共に、所定の圧力（約０．５〜５ｋｇ）が印加され、その中央部がセルフアライン軸受またはゴムリングにより中間プレート上に取り付けられる方式で下部ターンテーブルの上端に取り付けられることにより、ベルトあるいはチェーンにより偏心駆動軸に連結される駆動モータが動作すれば、前記数百から数千本に至る圧力粉砕ロッドが前記所定圧力の印加の下でそれぞれ回転し、これと同時に前記下部ターンテーブルが時計回り方向または反時計回り方向に回転する。
【０００８】
本発明のさらなる目的およびメリットは、添付図面に基づいて説明された下記の詳細な説明によって一層明らかになる。
【発明を実施するための最良の形態】
【０００９】
以下、添付した図面に基づき、本発明の好適な実施例について詳細に説明する。
【００１０】
図３は、本発明の実施例に係る極超微粒粉砕機の側面図である。これを参照すれば、下部ターンテーブル２５の回転時に中心部に流入した粉砕前の粉体対象物は、圧力粉砕ロッド４により粉砕されながら遠心力によってセラミック円形板７の中央部から外側に押し出され、排出口１３に落ちる。
【００１１】
図４は、本発明の実施例に係る圧力粉砕ロッドの取り付けと台車の移動を示す正面図である。これを参照すれば、上部プレート２の中央部には原料投入口２２が取り付けられており、圧力粉砕ロッド４は上部プレート２と中間プレート３にそれぞれ組みつけられている。
【００１２】
点線にて示してあるターンテーブル２５は、整備または掃除のために台車駆動モータ１１によって後退されている。
【００１３】
また、粉体が飛び散ることを防ぐために、粉塵カバー１４が取り付けられている。
【００１４】
図５は、台車装置を示すものである。これを参照すれば、この台車装置は、台車１０と、駆動モータ１１およびレール１２を備え、下部ターンテーブル２５が前進および後退することで、整備および掃除が容易に行える。
【００１５】
図６は、下部ターンテーブル２５の詳細図である。
【００１６】
下部ターンテーブル２５にセラミック円形板７が挿入されており、駆動モータ８によってピニオンギア２６が回転させられ、この回転力が外輪ギア１５に伝わってこれを回転させることにより、下部ターンテーブル２５が回転運動をすることになる。
【００１７】
昇降モータ９は、圧力粉砕ロッドに加えられる力（圧力）を調節する役割を果たす。
【００１８】
図７は、圧力粉砕ロッドの詳細図である。
【００１９】
これを参照すれば、上部プレート２に圧力粉砕ロッド４の上端部がゴムリング１９により固定されている。
【００２０】
このとき、ゴムリング１９は、圧力粉砕ロッド４が動くときに可とう性を与える。さらに、圧力粉砕ロッド４の中央部はセルフアライン軸受１８付き中間プレート３と結合されることにより、中間プレート３が偏心駆動軸６により偏心間隔２３だけ円運動をするとき、セルフアライン軸受１８により一層スムーズに偏心円運動をすることになる。
【００２１】
圧力粉砕ロッド４の下端部は粉砕のためのセラミックボール１６と結合され、シリンダーの役割を果たすべく圧力スプリング１７がシリンダーの内部に挿入されている。
【００２２】
図８は、上部プレート２の詳細図である。上部プレートの中央部には原料投入口２２が形成されており、プレートの大きさに応じて（大、中、小型）数十から数千本に至る圧力粉砕ロッド挿入ホール２０が前記原料投入口２２の周りに所定の間隔をあけて配列されている。
【００２３】
図９は、中間プレート３の詳細図である。
【００２４】
上部プレート２の場合と同様に、中間プレート３の中央部には原料投入口２２が形成されており、プレートの大きさに応じてまた数十から数千本に至る圧力粉砕ロッド挿入ホール２０が前記原料投入口２２の周りに所定の間隔をあけて配列されている。
【００２５】
図１０は、本発明に係る中間プレートの駆動軸を示す詳細図である。
【００２６】
図１０を参照すれば、中間プレート３を偏心円運動させるために駆動軸６が偏心間隔２３だけ偏心軸に形成される。
【００２７】
図１１は、圧力粉砕ロッド４の回転状態を示す図である。
【００２８】
圧力粉砕ロッド４の上端部は上部プレート２にゴムリング１９によって固定されており、圧力粉砕ロッドの中央部はセルフアライン軸受１８によって前記中間プレート３に保持されている。偏心駆動軸６が回転すれば、数十から数千本に至る圧力粉砕ロッド４は回転運動をしているセラミック円形板７の上でそれぞれ別々に円運動をしながら原料を粉砕するため、粉砕効率を極大化させられる。
【００２９】
このとき、上部プレートを偏心円運動させ、中間プレートを固定するなど、互いの機能を変えた場合、圧力粉砕ロッドの運動メカニズムに何ら影響を及ぼさないが、粉砕機の粉砕効率および整備の側面からみたときやや不便さがあり、望ましくない。
【００３０】
図１２は、圧力粉砕ロッド４の運動および原料が粉砕されて外へ押し出される状態を示している。セラミック円形板７の回転方向と圧力粉砕ロッドを保持している中間プレート３の回転方向は互いに同じであっても、反対であっても構わない。
【産業上の利用可能性】
【００３１】
本発明は、回転する円形板７の上で円形板の大きさに応じて漏れなく配列された数百ないし数千本の圧力粉砕ロッド４をそれぞれ別々に適宜な圧力を与えて偏心回転させながら原料を粉砕することから、粉砕効率を極大化させられる。また、極超微粒粉体の乾式方式による大量生産が可能になることから、医薬品、食品、鉱物および非金属鉱物などあらゆる粉体適用分野で品質向上、コストダウン、および工数の減少などに大きく寄与できることが期待される。
【００３２】
例えば、医薬品に使われる原料を極超微粒粉体に粉砕する場合、薬品の効能を早く効かせるためには、実際に少量の薬が必要となる。本発明に係る極超微粒粉砕機は、その応用範囲を、剥がれ難い塗料、高強度の工業用プラスチック、高機能性化粧品、半導体、および航空機などの様々な分野へまで拡大させられる。
【００３３】
以上、本発明を特定の実施例と結び付けて詳細に説明したが、これは単なる例示的なものに過ぎず、本発明の範囲を限定するものとして解釈されてはならない。また、本発明における当業者であれば、特許請求の範囲に記載の本発明の思想と範囲を逸脱しない範囲内で各種の変形および修正並びに変更が可能であるということは理解できるであろう。
【図面の簡単な説明】
【００３４】
【図１】本発明に係る極超微粒粉砕機の正面図である。
【図２】本発明に係る極超微粒粉砕機の平面図である。
【図３】本発明に係る極超微粒粉砕機の側面図である。
【図４】本発明の実施例に係る圧力粉砕ロッドの取り付けと台車の移動を示す正面図である。
【図５】本発明に係る極超微粒粉砕機の台車を示す平面図である。
【図６】本発明に係る極超微粒粉砕機の下部ターンテーブルを示す正面図である。
【図７】本発明に係る極超微粒粉砕機の圧力粉砕ロッドを示す詳細図である。
【図８】本発明に係る極超微粒粉砕機の上部プレートを示す平面図である。
【図９】本発明に係る極超微粒粉砕機の中間プレートを示す平面図である。
【図１０】本発明の中間プレートの駆動軸を示す詳細図である。
【図１１】本発明に係る極超微粒粉砕機の圧力粉砕ロッドの回転状態を示す平面図である。
【図１２】圧力粉砕ロッドの運動および原料が粉砕されて外に押し出される状態を示す図である。
【図１】
2005535440.tif 000003
【図２】
2005535440.tif 000004
【図３】
2005535440.tif 000005
【図４】
2005535440.tif 000006
【図５】
2005535440.tif 000007
【図６】
2005535440.tif 000008
【図７】
2005535440.tif 000009
【図８】
2005535440.tif 000010
【図９】
2005535440.tif 000011
【図１０】
2005535440.tif 000012
【図１１】
2005535440.tif 000013
【図１２】
2005535440.tif 000014
【国際調査報告】
2005535440.tif 000015
2005535440.tif 000016